(57)【特許請求の範囲】
【請求項１】
上下のフランジと、これらフランジを繋ぐウェブとを備えた鉄骨梁に、この鉄骨梁の長手方向に直交する木製梁の端部を、接合部材を介して接合する鉄骨梁と木製梁との接合構造であって、
前記接合部材は、前記鉄骨梁の前記ウェブに接合されるとともに、上下の長さが前記ウェブの上下の長さより少し短いウェブ接合部と、前記ウェブ接合部の左右側縁部から前記フランジの側縁を超えて側方に延出し、前記木製梁の端部と重なってこの木製梁に接合されるとともに、上下の長さが前記ウェブの上下の長さより少し短い左右一対の木製梁接合部と、前記鉄骨梁の下の前記フランジに接合されるとともに、前記左右一対の木製梁接合部のそれぞれの下端部に左右外側に開くようにして設けられた下フランジ接合部とを備え、
前記鉄骨梁の前記ウェブと前記ウェブ接合部とが、少なくとも上下方向に並んで複数配置される第１の接合具により接合され、
前記木製梁と前記木製梁接合部とが、少なくとも上下方向に並んで複数配置される第２の接合具により接合され、
前記鉄骨梁の下の前記フランジと前記下フランジ接合部とが第３の接合具により接合され、
前記鉄骨梁と木製梁との上側に床材が接合されていることを特徴とする鉄骨梁と木製梁との接合構造。
【請求項２】
前記接合部材には、前記木製梁の端部の下面に当接する木製梁支持部が前記下フランジ接合部より上方に設けられていることを特徴とする請求項１に記載の鉄骨梁と木製梁との接合構造。
【請求項３】
上下のフランジと、これらフランジを繋ぐウェブとを備えた鉄骨梁に、この鉄骨梁の長手方向に直交する木製梁の端部を、接合部材を介して接合する鉄骨梁と木製梁との接合方法であって、
前記接合部材は、前記鉄骨梁の前記ウェブに接合されるとともに、上下の長さが前記ウェブの上下の長さより少し短いウェブ接合部と、前記ウェブ接合部の左右側縁部から前記フランジの側縁を超えて側方に延出し、前記木製梁の端部と重なってこの木製梁に接合されるとともに、上下の長さが前記ウェブの上下の長さより少し短い左右一対の木製梁接合部と、前記鉄骨梁の下の前記フランジに接合されるとともに、前記左右一対の木製梁接合部のそれぞれの下端部に左右外側に開くようにして設けられた下フランジ接合部とを備え、
前記鉄骨梁の前記ウェブと前記ウェブ接合部とを、少なくとも上下方向に並んで複数配置される第１の接合具により接合し、
前記木製梁と前記木製梁接合部とを、少なくとも上下方向に並んで複数配置される第２の接合具により接合し、
前記鉄骨梁の下の前記フランジと前記下フランジ接合部とを第３の接合具により接合し、
前記鉄骨梁と木製梁との上側に床材を接合することを特徴とする鉄骨梁と木製梁との接合方法。
【請求項４】
前記接合部材に、前記木製梁の端部の下面に当接する木製梁支持部を前記下フランジ接合部より上方に設けたことを特徴とする請求項３に記載の鉄骨梁と木製梁との接合方法。
【請求項５】
上下のフランジと、これらフランジを繋ぐウェブとを備えた鉄骨梁に、この鉄骨梁の長手方向に直交する木製梁の端部を接合する際に用いられる接合部材であって、
前記鉄骨梁の前記ウェブに接合されるとともに、上下の長さが前記ウェブの上下の長さより少し短いウェブ接合部と、前記ウェブ接合部の左右側縁部から前記フランジの側縁を超えて側方に延出し、前記木製梁の端部と重なってこの木製梁に接合されるとともに、上下の長さが前記ウェブの上下の長さより少し短い左右一対の木製梁接合部と、前記鉄骨梁の下の前記フランジに接合されるとともに、前記左右一対の木製梁接合部のそれぞれの下端部に左右外側に開くようにして設けられた下フランジ接合部とを備え、
前記ウェブ接合部が前記鉄骨梁の前記ウェブに、少なくとも上下方向に並んで複数配置される第１の接合具により接合され、
前記木製梁接合部が前記木製梁に、少なくとも上下方向に並んで複数配置される第２の接合具により接合され、
前記下フランジ接合部が前記鉄骨梁の下の前記フランジに第３の接合具により接合されることを特徴とする接合部材。
【請求項６】
前記木製梁の端部の下面に当接する木製梁支持部が前記下フランジ接合部より上方に設けられていることを特徴とする請求項５に記載の接合部材。
【発明の詳細な説明】
【技術分野】
【０００１】
本発明は、床を支持する鉄骨梁と木製梁との接合構造、鉄骨梁と木製梁の接合方法および接合部材に関する。
【背景技術】
【０００２】
従来、例えば、木製梁どうしの接合においては、一方の梁となる木材に切り欠きを形成し、他方の梁の先端部に前記切り欠きに嵌め込まれるほぞを形成し、これら切り欠きとほぞとを嵌め合せて接合していた（例えば、非特許文献１参照）。
例えば、非特許文献１のＰ８７の図２には、大入れ蟻掛け、兜蟻掛け等が図示されている。このような構造では、一方の梁の側面に形成された蟻穴（切り欠き）に、他方の梁の先端部の蟻ほぞを差し込んで、これらの梁を接合する。このような構造では、それぞれの梁にめり込みによる割裂ひび割れなどの虞があり、梁自体の断面性能に比べ、接合部の構造性能が小さく、接合部の構造性能を上げるにも限界があった。
【０００３】
また、木製梁どうしの接合に、接合金物を用いる場合がある（例えば、特許文献１，２参照）。このような場合においても金物が取り付く側の梁には、金物によってめり込みが生じ、木製梁同士の接合部の構造性能を上げるにも限界があった。
【０００４】
鉄骨梁どうしの接合、例えば、Ｈ形鋼からなる大梁と、Ｈ形鋼からなる小梁との接合においては、ボルト接合や、溶接接合などが用いられている（例えば、非特許文献２参照）。例えば、非特許文献２の２０８頁の図１０．２１に大梁と小梁の溶接接合およびボルト接合を用いた接合部が図示されている。しかし、このような構造を、鉄骨（鋼材）からなる大梁と、木製の小梁との接合に応用することはできない。
【０００５】
鋼材は木材に比べ、ヤング係数がおおよそ２０倍程度大きく変形し難い。そこで、木造建築物に鉄骨梁を用いる場合、鋼材の上述の特性を利用し、例えば、比較的長いスパンの梁材などに用いられる。
このような鉄骨木造併用構造における鋼材と木材との接合構造が知られている（例えば、非特許文献３参照）。
【先行技術文献】
【特許文献】
【０００６】
【特許文献１】特開平１０−２５８１０号公報
【特許文献２】特開２００４−９２１４９号公報
【非特許文献】
【０００７】
【非特許文献１】山辺豊彦著「世界で一番やさしい木構造」エクスナレッジ  ２００８年
【非特許文献２】高梨晃一・福島暁男共著「最新  鉄骨構造（改討版）」森北出版株式会社  １９８２年
【非特許文献３】社団法人鋼材倶楽部編「鉄骨木造併用構造設計施工指針（新版）」技報堂出版  １９８１年
【発明の概要】
【発明が解決しようとする課題】
【０００８】
ところで、例えば、非特許文献３の２０頁の接合部分の施工実例の例２４には、木造住宅の２階梁に鉄骨梁が用いられ、この鉄骨梁に木製梁が接合されている。この例の鉄骨梁と木製梁の接合構造では、鉄骨梁の中間部の上部をカットして凹部を形成し、この凹部で木製梁を受けるようになっている。この凹部が鉄骨梁の大きな断面欠損となっており、断面欠損による鉄骨梁の耐力低下が懸念される。
【０００９】
また、非特許文献３の２１ページの施工実例の例２５では、Ｈ形鋼からなる鉄骨梁の上下のフランジ間に木製の床梁の端部を差し込んで留め付けている。しかし、２本の鉄鋼梁に木製梁を架け渡すように配置する場合に、木製梁の両端部を既に架構された２本の鉄骨梁の上下のフランジ間に差し込むことが困難である。したがって、木製梁の鉄骨梁への取り付けが、煩雑な施工となる。
【００１０】
また、比較的長いスパンの鉄骨梁（Ｈ形鋼）１においては、図２０に示すように、例えば、床上を居住者が歩行した際に、その衝撃により、鉄骨梁１が下側に凸となるように曲げ変形して矢印ａに示すように上下方向に振動する。また、鉄骨梁１においては、水平方向にも曲げ変形するが、上フランジ１１が床材（例えば、床合板２）にネジ等で固定されているので、ウェブ１３の上端部を中心として下フランジ側１２が左右に回転振動する。
【００１１】
木造建築物に鉄骨製の大梁を用い、この大梁に木製の小梁が接合され、これら大梁と小梁とで床を支持する床構造においては、床の振動を抑制するために、上述のような大梁（鉄骨梁）の振動を抑制することが求められている。床の振動の抑制には、大梁等の断面を大きくすること、すなわち、梁のサイズを大きくすることが有効であることが知られているが、梁が重くなるとともにコストが増大することになる。
【００１２】
本発明は、前記事情に鑑みてなされたもので、施工が容易で、かつ、鉄骨梁と木製梁との接合部分における剛性を高めることにより、歩行等による床の振動を抑制することができる鉄骨梁と木製梁との接合構造、鉄骨梁と木製梁との接合方法および接合部材を提供することを目的とする。
【課題を解決するための手段】
【００１３】
前記課題を解決するために、請求項１に記載の鉄骨梁と木製梁との接合構造は、上下のフランジと、これらフランジを繋ぐウェブとを備えた鉄骨梁に、この鉄骨梁の長手方向に直交する木製梁の端部を、接合部材を介して接合する鉄骨梁と木製梁との接合構造であって、
前記接合部材は、前記鉄骨梁の前記ウェブに接合されるとともに、上下の長さが前記ウェブの上下の長さより少し短いウェブ接合部と、前記ウェブ接合部の左右側縁部から前記フランジの側縁を超えて側方に延出し、前記木製梁の端部と重なってこの木製梁に接合されるとともに、上下の長さが前記ウェブの上下の長さより少し短い左右一対の木製梁接合部と、前記鉄骨梁の下の前記フランジに接合されるとともに、前記左右一対の木製梁接合部のそれぞれの下端部に左右外側に開くようにして設けられた下フランジ接合部とを備え、
前記鉄骨梁の前記ウェブと前記ウェブ接合部とが、少なくとも上下方向に並んで複数配置される第１の接合具により接合され、
前記木製梁と前記木製梁接合部とが、少なくとも上下方向に並んで複数配置される第２の接合具により接合され、
前記鉄骨梁の下の前記フランジと前記下フランジ接合部とが第３の接合具により接合され、
前記鉄骨梁と木製梁との上側に床材が接合されていることを特徴とする。
【００１４】
請求項２に記載の鉄骨梁と木製梁との接合構造は、請求項１に記載の発明において、
前記接合部材には、前記木製梁の端部の下面に当接する木製梁支持部が前記下フランジ接合部より上方に設けられていることを特徴とする。
【００１５】
請求項３に記載の鉄骨梁と木製梁との接合方法は、上下のフランジと、これらフランジを繋ぐウェブとを備えた鉄骨梁に、この鉄骨梁の長手方向に直交する木製梁の端部を、接合部材を介して接合する鉄骨梁と木製梁との接合方法であって、
前記接合部材は、前記鉄骨梁の前記ウェブに接合されるとともに、上下の長さが前記ウェブの上下の長さより少し短いウェブ接合部と、前記ウェブ接合部の左右側縁部から前記フランジの側縁を超えて側方に延出し、前記木製梁の端部と重なってこの木製梁に接合されるとともに、上下の長さが前記ウェブの上下の長さより少し短い左右一対の木製梁接合部と、前記鉄骨梁の下の前記フランジに接合されるとともに、前記左右一対の木製梁接合部のそれぞれの下端部に左右外側に開くようにして設けられた下フランジ接合部とを備え、
前記鉄骨梁の前記ウェブと前記ウェブ接合部とを、少なくとも上下方向に並んで複数配置される第１の接合具により接合し、
前記木製梁と前記木製梁接合部とを、少なくとも上下方向に並んで複数配置される第２の接合具により接合し、
前記鉄骨梁の下の前記フランジと前記下フランジ接合部とを第３の接合具により接合し、
前記鉄骨梁と木製梁との上側に床材を接合することを特徴とする。
【００１６】
請求項４に記載の鉄骨梁と木製梁との接合方法は、請求項３に記載の発明において、
前記接合部材に、前記木製梁の端部の下面に当接する木製梁支持部を前記下フランジ接合部より上方に設けたことを特徴とする。
【００１７】
請求項５に記載の接合部材は、上下のフランジと、これらフランジを繋ぐウェブとを備えた鉄骨梁に、この鉄骨梁の長手方向に直交する木製梁の端部を接合する際に用いられる接合部材であって、
前記鉄骨梁の前記ウェブに接合されるとともに、上下の長さが前記ウェブの上下の長さより少し短いウェブ接合部と、前記ウェブ接合部の左右側縁部から前記フランジの側縁を超えて側方に延出し、前記木製梁の端部と重なってこの木製梁に接合されるとともに、上下の長さが前記ウェブの上下の長さより少し短い左右一対の木製梁接合部と、前記鉄骨梁の下の前記フランジに接合されるとともに、前記左右一対の木製梁接合部のそれぞれの下端部に左右外側に開くようにして設けられた下フランジ接合部とを備え、
前記ウェブ接合部が前記鉄骨梁の前記ウェブに、少なくとも上下方向に並んで複数配置される第１の接合具により接合され、
前記木製梁接合部が前記木製梁に、少なくとも上下方向に並んで複数配置される第２の接合具により接合され、
前記下フランジ接合部が前記鉄骨梁の下の前記フランジに第３の接合具により接合されることを特徴とする。
【００１８】
請求項６に記載の接合部材は、請求項５に記載の発明において、
前記木製梁の端部の下面に当接する木製梁支持部が前記下フランジ接合部より上方に設けられていることを特徴とする。
【００１９】
請求項１、請求項３および請求項５に記載の発明においては、床から木製梁に作用する鉛直荷重（固定荷重および積載荷重）により、木製梁に作用するせん断力は、第２の接合具を介して接合部材に伝達され、接合部材から第１の接合具を介して鉄骨梁に伝達される。また、上下方向に沿って複数配置される第２の接合具により、木製梁に対する接合部材の回転が抑止され、上下方向に沿って複数配置される第１の接合具により鉄骨梁に対する接合部材の回転が抑止される。
【００２０】
また、木製梁が垂直荷重により曲げ変形することにより、木製梁に曲げモーメントが生じ、曲げモーメントは偶力となる。
この際に、鉄骨梁および木製梁に床材が接合されるので、上側の偶力は、床材により木製梁から鉄骨梁の上のフランジに伝達される。また、下側の偶力は、第３の接合具を介して下フランジ接合部により接合部材から鉄骨梁の下フランジに伝達される。これにより、接合部材を用いた鉄骨梁と木製梁と接合部分には、回転剛性を持たせることができる。
【００２１】
以上のことから、鉄骨梁と木製梁との接合部の剛性が高められ、特に鉄骨梁直交方向（木製梁に沿った方向）の剛性が高くなるので、床の剛性を高めることができ、床が変形し難くなる。これにより、歩行等による床の振動を抑制することができる。
また、上述のように歩行等により、鉄骨梁のウェブの上端部を中心としてウェブの下端部（下のフランジ）側が回転振動するが、下フランジ接合部が第３の接合具により下フランジに接合されることで、鉄骨梁の回転振動が抑制される。これによっても床の振動を抑制することができる。
【００２２】
また、フランジの側縁より側方に延出する木製梁接合部に木製梁を接合することで、木製梁を鉄骨梁に接合可能なので、木製梁の端部を鉄骨梁の上下のフランジの間に挿入する必要がない。したがって、木製梁の両端部をそれぞれ、鉄骨梁に接合するものとしても、作業性を向上することができる。
【００２３】
請求項２、請求項４および請求項６に記載の発明においては、木製梁の回転に伴って木製梁の下面に当接する木製梁支持部で上側に向う支圧力が発生し、木製梁の端部が支持され、鉄骨梁と木製梁との接合部の回転剛性を高めることができる。また、木製梁の端部を木製梁支持部に載置して位置決めした状態に仮置きすることが可能となるので、木製梁と、木製梁接合部との接合作業を容易にできる。
【発明の効果】
【００２４】
本発明の鉄骨梁と木製梁との接合構造、鉄骨梁と木製梁との接合方法および接合部材によれば、鉄骨梁と木製梁との接合部の剛性を高めることにより、床の剛性を高め、床上を人が歩行することなどによる床の振動を抑制することができる。
【図面の簡単な説明】
【００２５】
【図１】本発明の第１実施形態の鉄骨梁と木製梁との接合構造における鉄骨梁と木製梁の配置を示す概略斜視図である。
【図２】この鉄骨梁と木製梁との接合構造を示す要部側面図である。
【図３】この鉄骨梁と木製梁との接合構造で用いられる接合部材と木製梁の端部とを示す斜視図である。
【図４】この鉄骨梁と木製梁との接合構造における応力伝達を説明するための図である。
【図５】本発明の第２実施形態の鉄骨梁と木製梁との接合構造を示す要部側面図である。
【図６】本発明の第３実施形態の鉄骨梁と木製梁との接合構造を示す要部側面図である。
【図７】この鉄骨梁と木製梁との接合構造における接合部材を示す斜視図である。
【図８】本発明の第４実施形態の鉄骨梁と木製梁との接合構造の接合部材を示す図であって、（ａ）は平面図であり、（ｂ）は側面図であり、（ｃ）は正面図である。
【図９】この鉄骨梁と木製梁との接合構造で用いられる接合部材と木製梁の端部とを示す斜視図である。
【図１０】本発明の第５実施形態の鉄骨梁と木製梁との接合構造の接合部材を示す図であって、（ａ）は平面図であり、（ｂ）は側面図であり、（ｃ）は正面図である。
【図１１】この鉄骨梁と木製梁との接合構造で用いられる接合部材を示す分解斜視図である。
【図１２】この鉄骨梁と木製梁との接合構造で用いられる接合部材と木製梁の端部とを示す斜視図である。
【図１３】本発明の第６実施形態の鉄骨梁と木製梁との接合構造の接合部材を示す図であって、（ａ）は平面図であり、（ｂ）は側面図であり、（ｃ）は正面図である。
【図１４】この鉄骨梁と木製梁との接合構造で用いられる接合部材と木製梁の端部とを示す斜視図である。
【図１５】本発明の第７実施形態の鉄骨梁と木製梁との接合構造の接合部材を示す図であって、（ａ）は平面図であり、（ｂ）は側面図であり、（ｃ）は正面図である。
【図１６】この鉄骨梁と木製梁との接合構造で用いられる接合部材と木製梁の端部とを示す斜視図である。
【図１７】本発明の第８実施形態の鉄骨梁と木製梁との接合構造の第１の接合部材を示す図であって、（ａ）は平面図であり、（ｂ）は側面図であり、（ｃ）は正面図である。
【図１８】この鉄骨梁と木製梁との接合構造の第２の接合部材を示す図であって、（ａ）は平面図であり、（ｂ）は側面図であり、（ｃ）は正面図である。
【図１９】この鉄骨梁と木製梁との接合構造で用いられる第１及び第２の接合部材と木製梁の端部とを示す斜視図である。
【図２０】従来の大梁としての鉄骨梁と小梁としての木製梁とを用いた床構造における鉄骨梁の振動を説明するための図である。
【発明を実施するための形態】
【００２６】
以下、本発明の実施の形態を図面を参照して説明する。
図１から図３に示すように、第１実施形態の鉄骨梁と木製梁との接合構造は、床材（床合板２）を支持する大梁としての鉄骨梁１と小梁としての木製梁３とを接合するものである。鉄骨梁１と木製梁３とで床合板２を支持する構造においては、例えば、図１に示すように、複数の鉄骨梁１が互いに間隔をあけて互いに平行に架け渡され、木製梁３がこれら鉄骨梁１の長手方向に直交するとともに、鉄骨梁１間に架け渡されて配置されている。
【００２７】
鉄骨梁１は、上下の水平なフランジ１１，１２と、これらフランジ１１，１２を繋ぐ鉛直方向に沿ったウェブ１３とを備えている。木製梁３は、例えば、断面が矩形状とされている。鉄骨梁１と木製梁３は、接合部材（金物）４を介して接合される。
接合部材４は、鉄骨梁１のウェブ１３の一方の側面に当接してこのウェブ１３に取り付けられるウェブ接合部４１と、このウェブ接合部４１の左右側縁部から側方にそれぞれ、延出して木製梁３に取り付けられる一対の木製梁接合部４２と、この木製梁接合部４２の下端部に設けられ、鉄骨梁１の下のフランジ１２に当接して取り付けられる下フランジ接合部４３とを備えている。なお、図２において、右側の接合部材４にだけウェブ接合部４１を破線で図示した。
【００２８】
これらウェブ接合部４１、木製梁接合部４２および下フランジ接合部４３は、一体に形成されている。たとえば、ウェブ接合部４１、木製梁接合部４２および下フランジ接合部４３を一枚の金属板を折り曲げることにより形成されている。
【００２９】
ウェブ接合部４１は、矩形状の金属板であり、その上下長さが鉄骨梁１のウェブ１３の上下長さより少し短く、左右幅が木製梁３の左右幅より狭くされている。ウェブ接合部４１には、ボルト孔が上下一列に複数形成されている。また、鉄骨梁１のウェブ１３のウェブ接合部４１の取り付け位置にも、ウェブ接合部４１と同様に上下一列に複数のボルト孔が形成されている。ウェブ１３にウェブ接合部４１を当接させた状態で、ウェブ接合部４１の複数のボルト孔それぞれと、鉄骨梁１の複数のボルト孔それぞれとが重なって配置され、第１の接合具としてのボルト４５がこれらボルト孔に挿通させられている。これらのボルト４５により、ウェブ１３にウェブ接合部４１が締結されている。
【００３０】
木製梁接合部４２は、ウェブ接合部４１の左右側縁部にそれぞれ設けられるとともにウェブ接合部４１に連続する金属板である。ウェブ接合部４１に対して木製梁接合部４２は、直角に曲げられることにより、鉄骨梁１に対して直角に側方に延出している。また、木製梁接合部４２は、鉄骨梁１の上下のフランジ１１，１２の側縁より外側に延出している。
【００３１】
また、一対の木製梁接合部４２の下側縁部にはそれぞれ、ウェブ接合部４１側、すなわち基端側に上述の下フランジ接合部４３が設けられている。木製梁接合部４２の下フランジ接合部４３が設けられている下側縁部が水平とされ、それより先端側となる下側縁部が先端側に向うにつれて上側に向うように斜めに形成されている。
【００３２】
左右の木製梁接合部４２は、鉛直に互いに平行に配置されているとともに、左右の木製梁接合部４２の距離が木製梁３の左右幅より狭くなっている。また、左右の木製梁接合部４２にはそれぞれ、ドリフトピン３５を貫通させる複数のピン孔４６が上下一列に設けられており、左右の木製梁接合部４２でピン孔４６の位置が対応している。
【００３３】
木製梁接合部４２が取り付けられる木製梁３の端部には、左右の木製梁接合部４２に対応する２つのスリット３１が形成されている。このスリット３１は、木製梁３の端部の上下面と端面に開口した状態となっており、左右のスリット３１にそれぞれ、左右の木製梁接合部４２が挿入されることで、木製梁３の端部が木製梁接合部４２と重なった状態となる。
また、木製梁３の端部には、木製梁接合部４２のピン孔４６に対応して、左右側面間を貫通する複数のピン孔３２が上下一列に形成されている。
【００３４】
木製梁３の左右のスリット３１に、左右の木製梁接合部４２を挿入した状態で、木製梁３と木製梁接合部４２の位置を合わせることにより、左右の木製梁接合部４２のピン孔４６と、木製梁３のピン孔３２が連通した状態となる。この状態で互いに連通するピン孔４６およびピン孔３２にドリフトピン３５が打ち込まれることで、木製梁３に木製梁接合部４２が取り付けられる。なお、スリット３１に金属板である木製梁接合部４２を挿入する構造は、ドリフトピン３５等のピンを木製梁３と木製梁接合部４２とに貫通させて接合するのに適した構造となっている。
【００３５】
下フランジ接合部４３は、左右の木製梁接合部４２の下端部にそれぞれ設けられている。木製梁接合部４２から下方に延出した下フランジ接合部４３を水平となるように屈曲させることで、下フランジ接合部４３が木製梁接合部４２に一体に設けられている。左右の下フランジ接合部４３は、左右に水平に広がるように設けられ、ウェブ接合部４１を鉄骨梁１のウェブ１３に固定した際に、鉄骨梁１の下のフランジ１２の上面に当接するようになっている。
【００３６】
また、下フランジ接合部４３にはボルト孔４８が形成されている。また、下のフランジ１２の下フランジ接合部４３の取り付け位置に下フランジ接合部４３のボルト孔４８と連通するボルト孔が形成され、これらのボルト孔４８に第３の接合具としてのボルト４５ａが挿通され、このボルト４５ａにより下フランジ接合部４３と鉄骨梁１の下のフランジ１２とが締結されている。
【００３７】
また、ウェブ接合部４１を鉄骨梁１のウェブ１３に取り付け、木製梁接合部４２を木製梁３の端部に取り付けた状態で、鉄骨梁１の上のフランジ１１の上面と、木製梁３の上面とが同じ高さレベルとなっている。
これら鉄骨梁１の上面と、木製梁３の上面との上側に床合板２が水平に載置され、床合板２と木製梁３とが釘２１により接合され、鉄骨梁１の上のフランジ１１と床合板２がネジ２２により接合されている。
【００３８】
この鉄骨梁と木製梁との接合構造を用いて、鉄骨梁１に木製梁３を接合する鉄骨梁と木製梁との接合方法においては、例えば、鉄骨梁１のウェブ１３に接合部材４のウェブ接合部４１を当接させるとともに、位置を合わせて、ウェブ１３とウェブ接合部４１とを貫通するボルト４５を用いてウェブ１３にウェブ接合部４１を締結する。
【００３９】
また、鉄骨梁１の下のフランジ１２に下フランジ接合部４３が当接した状態で、フランジ１２と下フランジ接合部４３とを貫通するボルト４５ａにより、フランジ１２と下フランジ接合部４３とを締結する。なお、鉄骨梁１への接合部材４の取り付けは、鉄骨梁１を現場で架構した後に行ってもよいし、その前に行ってもよい。
【００４０】
次に、架構された状態の鉄骨梁１に取り付けられた接合部材４の木製梁接合部４２を木製梁３のスリット３１に挿入し、木製梁３のピン孔３２と木製梁接合部４２のピン孔４６の位置を合わせ、これらピン孔３２およびピン孔４６にドリフトピン３５を打ち込んで、木製梁接合部４２に木製梁３を取り付ける。これにより、鉄骨梁１に接合部材４を介して木製梁３が接合された状態となる。
次に、鉄骨梁１と木製梁３との上に床合板２を載置するとともに、床合板２と木製梁３とを釘２１により接合し、床合板２と鉄骨梁１の上のフランジ１１とをネジ２２により接合する。
【００４１】
このような鉄骨梁と木製梁との接合構造、鉄骨梁と木製梁との接合方法および接合部材４においては、従来と同様に、床に生じる固定荷重および積載荷重からなる鉛直荷重を、大梁としての鉄骨梁１と小梁としての木製梁３がそれぞれ負担し、鉛直荷重（に対する応力）は、これら鉄骨梁１および木製梁３柱を介して下階に伝達され、さらに基礎を介して地盤へと伝達される。
また、木製梁３に作用した荷重に対する応力は、鉄骨梁１と木製梁３との接合部から鉄骨梁１に伝達される。
【００４２】
この実施形態においては、図４に示すように、前記荷重に基づいて、木製梁３に作用する下向きのせん断力（矢印Ｑ）は、接合部材４の木製梁接合部４２に第２の接合具としてのドリフトピン３５を介して伝達される。接合部材４に伝達されたせん断力（太い矢印Ｑ）は、接合部材４のウェブ接合部４１から鉄骨梁１のウェブ１３に第１の接合具としてのボルト４５を介して伝達される。
また、木製梁に作用する曲げモーメント（矢印Ｍ）は、上下に複数並んで配置されたドリフトピン３５を介して接合部材４に伝達されるとともに、上下に複数並んで配置されたボルト４５により接合部材４のウェブ接合部４１から鉄骨梁１のウェブ１３に伝達される。
【００４３】
また、木製梁３に作用する曲げモーメントは、上側の矢印Ｎと、この矢印Ｎと逆向きの下側の矢印Ｎとで示される偶力となる。上側の偶力は、木製梁３に釘２１で接合され、鉄骨梁１にねじ２２で接合された床合板２を介して、木製梁３から鉄骨梁１の上のフランジ１１に伝達される。また、下側の偶力は、木製梁３からドリフトピン３５を介して接合部材４の木製梁接合部４２に伝達され、さらに接合部材４の下フランジ接合部４３と、この下フランジ接合部４３を鉄骨梁１の下のフランジ１２に接合するボルト４５ａを介して、鉄骨梁１の下のフランジ１２に伝達される。
したがって、この鉄骨梁と木製梁との接合構造は、木製梁３に作用するせん断力と、曲げモーメントとの両方を負担して鉄骨梁１側に伝達する機構を有している。この場合、曲げモーメントが伝達されるため、鉄骨梁１と木製梁３との接合部は、回転剛性を保持していることになる。
【００４４】
この鉄骨梁と木製梁との接合構造、鉄骨梁と木製梁との接合方法および接合部材にあっては、上述のように鉄骨梁１と木製梁３との接合部が回転剛性を保持しているので、接合部材４を用いた鉄骨梁１と木製梁３との接合により、鉄骨梁１と木製梁３との接合部の剛性を高めること、特に鉄骨梁１の長手方向と直交する方向の剛性を高めることができる。これにより、これら鉄骨梁１と木製梁３とその上に接合された床合板２とからなる床の剛性を高めることができる。床の剛性を高めることにより、床の振動を抑制することができる。
【００４５】
ここで、人が床上を歩行すると上述のように床は振動することになるが、日本建築学界「環境振動、固体音の測定技術マニュアル」に記載されているように、人間が全身感覚（体感）として知覚できる振動は、約１〜３０Ｈｚの範囲の振動数を有するものとされている。上述のようにして床の曲げ剛性を高めると、床の振動数が大きくなり、前述の体感で知覚できる振動数である１〜３０Ｈｚを外れることになる。
これにより、床の振動を知覚し難くすることができ、床の振動による居住者等の不快感を抑制することができる。
【００４６】
また、床の剛性を高めるためには、従来、梁のサイズを大きくしており、建築物のコストの増加を招くが、この接合構造においては、上述の接合部材４を用いることにより梁のサイズを大きくすることなく、床の剛性を高めることができ、低コストで床の振動を抑制することができる。
【００４７】
また、上述のように、鉄骨梁１においては、図２０に示すように、床上の人の歩行等の衝撃により、ウェブ１３の上端部を中心としてウェブ１３の下部および下のフランジ１２が回転振動するが、この接合構造では、接合部材４の下フランジ接合部４３がボルト４５ａにより鉄骨梁１の下のフランジ１２に接合されるので、鉄骨梁１の上述の回転振動を抑制することができる。
これによっても、床の振動を抑制することができる。
【００４８】
なお、図２に示すように、鉄骨梁１の左右にそれぞれ一列に並んだ状態に木製梁３が配置される場合は、木製梁３から鉄骨梁１に応力が伝達されるとともに、さらに、鉄骨梁１を介して隣り合う木製梁３にも応力が伝達されることになる。
【００４９】
次に、本発明の第２実施形態を説明する。
図５に示すように、第２実施形態の鉄骨梁と木製梁との接合構造は、第１実施形態の接合部材４に代えて接合部材４ａを用いたものである。
接合部材４ａは、ウェブ接合部４１および下フランジ接合部４３が、第１実施形態の接合部材４と同様であるが、木製梁接合部４２ａのウェブ接合部４１からの延出長さが第１実施形態のウェブ接合部４１より長くされるとともに、ドリフトピン３５が貫通するピン孔が上下一列ではなく、複数列に配置されている。
【００５０】
この木製梁接合部４２ａに対応して、木製梁３は、ドリフトピン３５が貫通するピン孔が複数列に配置されている。
また、木製梁３の木製梁接合部４２ａが挿入されるスリットが木製梁接合部４２ａの長さに対応して、木製梁３の軸方向に沿って長くされている。
【００５１】
木製梁接合部４２ａと木製梁３とは、複数列に配置されたピン孔のそれぞれにドリフトピン３５が貫通した状態に打ち込まれており、複数列のドリフトピン３５により、木製梁接合部４２ａと木製梁３とが接合されている。
なお、この接合部材４ａを用いた場合も、第１の実施形態とほぼ同様に施工することができる。
【００５２】
この鉄骨梁と木製梁との接合構造にあっては、曲げモーメントが複数列のドリフトピン３５を介して接合部材４ａに伝達されるので、接合部の回転剛性をさらに高めることができ、床の振動をさらに抑制することができる。
【００５３】
次に、本発明の第３実施形態を説明する。
図６および図７に示すように、第３実施形態の鉄骨梁と木製梁との接合構造は、接合部材４として、第１実施形態の接合部材４の木製梁接合部４２に木製梁３の端部の下面に当接する木製梁支持部４７を加えたものを用いたものである。
木製梁支持部４７は、木製梁接合部４２の先端側の下側縁部に水平に外側に延出するように設けられている。木製梁接合部４２に木製梁３を接合した際に、上述のように木製梁支持部４７が木製梁３の下面に当接する。なお、この木製梁支持部４７を備えている接合部材４を用いた場合も、第１の実施形態とほぼ同様に施工することができる。
【００５４】
この木製梁支持部４７を備えた接合分材４を用いた接合構造および接合方法にあっては、木製梁３が回転しようとすると、矢印Ｐで示される支圧力が木製梁支持部４７と木製梁３との間に作用し、鉄骨梁１と木製梁３との接合部の回転剛性をさらに高めることができる。
さらに、接合部材４に木製梁３を接合する際に、木製梁３の端部を木製梁支持部４７上に載置することができるので、木製梁３を木製梁接合部４２に対して位置決めした状態に仮置きできることになり、木製梁３と木製梁接合部４２との接合作業を容易にできる。
【００５５】
次に、本発明の第４実施形態を説明する。
図８および図９に示すように、第４実施形態の鉄骨梁と木製梁との接合構造は、第１実施形態の接合部材４に代えて接合部材４ｂを用いたものである。
第１実施形態の接合部材４において、一対の木製梁接合部４２にそれぞれ設けられる下フランジ接合部４３を左右外側に開くように設けたのに対して、接合部材４ｂでは、下フランジ接合部４３ｂを一対の木製梁接合部４２の内側に水平に折り曲げて形成している。
【００５６】
また、内側に折り曲げられた一対の下フランジ接合部４３ｂは、それらの先端部同士が上下に重なるように配置され、一対の下フランジ接合部４３ｂの上下に重なった部分を貫通するようにボルト孔４８ｂが形成されている。このボルト孔４８ｂにボルトが挿通され、鉄骨梁１の下のフランジ１２と、下フランジ接合部４３ｂがボルトにより締結される。なお、下のフランジ１２には、下フランジ接合部４３ｂのボルト孔４８ｂに対応してボルト孔が形成されている。木製梁３の端部のスリット３１とピン孔３２は、第１実施形態と同様である。また、接合部材４ｂのウェブ接合部４１には、ウェブ接合部４１をウェブ１３にボルトで締結するためのボルト孔４９が上下に一列に設けられている。
【００５７】
この接合部材４ｂを用いた場合も第１実施形態と同様にウェブ接合部４１を鉄骨梁１のウェブ１３に接合し、下フランジ接合部４３ｂを鉄骨梁１の下のフランジ１２に接合し、木製梁接合部４２を木製梁３に接合することで、鉄骨梁１を木製梁３に接合することができる。
この接合構造、接合方法および接合部材４ｂにあっては、第１実施形態と同様の作用効果を奏することができる。
【００５８】
次に、本発明の第５実施形態を説明する。
図１０から図１２に示すように、第５実施形態の鉄骨梁と木製梁との接合構造は、第１実施形態の接合部材４に代えて接合部材４ｃを用いるものである。
接合部材４ｃは、鉄骨梁１のウェブ１３に接合される矩形板状のウェブ接合部４１ｃと、ウェブ接合部４１ｃの下端部から直角に鉄骨梁１の下のフランジ１２に沿って側方に延出して設けられる下フランジ接合部４３ｃと、ウェブ接合部４１ｃの左右の中央部から直角に延出する一枚の木製梁接合部４２ｃとを備えている。
【００５９】
木製梁接合部４２ａは、基端側となる側縁部がウェブ接合部４１ｃの幅方向の中央部に溶接され、木製梁接合部４２ａの下側縁部が下フランジ接合部４３ｃに溶接されている。
また、木製梁接合部４２ａには、ボルト孔４６ｃが形成されている。
また、ウェブ接合部４１ｃには、上下に並んで形成されるボルト孔４９ｃが木製梁接合部４２ａの左右に１列ずつ、合わせて２列形成されている。
また、下フランジ接合部４３ｃには、ボルト孔４８ｃが木製梁接合部４２ａの左右にそれぞれ１つずつ形成されている。
【００６０】
木製梁接合部４２ｃが一対ではなく１つとなったことに基づいて、木製梁３の木製梁接合部４２ｃが挿入されるスリット３１が１つとされている。この１つのスリット３１に木製梁接合部４２ｃが挿入された状態で、第１実施形態と同様にドリフトピン３５により、木製梁接合部４２ｃと木製梁３が接合される。
【００６１】
この接合部材４ｃを用いた場合も第１実施形態と同様にウェブ接合部４１ｃを鉄骨梁１のウェブ１３に接合し、下フランジ接合部４３ｃを鉄骨梁１の下のフランジ１２に接合し、木製梁接合部４２ｃを木製梁３に接合することで、鉄骨梁１を木製梁３に接合することができる。
この接合構造、接合方法および接合部材４ｃにあっては、第１実施形態と同様の作用効果を奏することができる。
【００６２】
次に、本発明の第６実施形態を説明する。
図１３および図１４に示すように、第６実施形態の鉄骨梁と木製梁との接合構造は、第１実施形態の接合部材４に代えて、接合部材４ｄを２つ用いたものである。
２つの接合部材４ｄはそれぞれ、鉄骨梁１のウェブ１３に接合されるウェブ接合部４１ｄ、鉄骨梁１の下のフランジ１２に接合される下フランジ接合部４３ｄ、木製梁３に接合される木製梁接合部４２ｄを備えているとともに、互いに鏡像の関係となっている。
【００６３】
ウェブ接合部４１ｄの左右の側縁部のうちの一方の側縁部からウェブ接合部４１ｄに対して直角でかつ鉛直方向にそって木製梁接合部４２ｄが延出している。また、ウェブ接合部４１ｄの下側縁部からウェブ接合部４１ｄに対して直角でかつ水平に下フランジ接合部４３ｄが延出している。
２つの接合部材４ｄのうちの一方の接合部材４ｄは、ウェブ接合部４１ｄの左側縁部に木製梁接合部４２ｄが設けられ、他方の接合部材４ｄは、ウェブ接合部４１ｄの右側縁部に木製梁接合部４２ｄが設けられている。
ウェブ接合部４１ｄにボルト孔４９ｄが設けられ、木製梁接合部４２ｄにピン孔４６ｄが設けられ、下フランジ接合部４３ｄにボルト孔４８ｄが設けられている。
【００６４】
一対ずつの接合部材４ｄはそれぞれ、木製梁接合部４２ｄが木製梁３の２つのスリット３１に挿入される間隔をあけて鉄骨梁１に接合される。この際には、第１実施形態と同様にウェブ接合部４１ｄが、鉄骨梁１のウェブ１３に接合され、下フランジ接合部４３ｄが鉄骨梁１の下のフランジ１２に接合される。
一対ずつの接合部材４ｄを鉄骨梁１に取り付けた後には、第１の実施形態と同様の方法で、一対の接合部材４ｄに木製梁３を接合することが可能となる。
【００６５】
この接合構造、接合方法および接合部材４ｄにあっては、第１実施形態と同様の作用効果を奏することができる。
【００６６】
次に、本発明の第７実施形態を説明する。
図１５および図１６に示すように、第７実施形態の鉄骨梁と木製梁との接合構造は、第１実施形態の接合部材４に代えて接合部材４ｅを用いたものである。
この接合部材４ｅは、ウェブ接合部４１ｅの左右幅を木製梁３の左右幅より少し広くし、このウェブ接合部４１ｅの左右側縁部から直角に延出する木製梁接合部４２ｅが木製梁３の左右側面に当接するようにしている。したがって、木製梁３には木製梁接合部４２ｅが挿入されるスリットが設けられておらず、一対の木製梁接合部４２ｅの間に木製梁３が挟まれた状態となる。
【００６７】
このような木製梁接合部４２ｅを用いることで、木製梁接合部４２ｅと木製梁３を接合する際の接合具としてボルトを好適に用いることができる。ボルトを用いた場合には、木製梁接合部４２ｅにはピン孔４６に代えてボルト孔４６ｅが形成される。なお、ウェブ接合部４１ｅの左右幅が木製梁３に対して広くなるとともに、木製梁接合部４２ｅの間隔が広くなっていることを除いて、接合部材４ｅの構造は、接合部材４と同様の構造となっている。ウェブ接合部４１ｅには、第１実施形態と同様にボルト孔４９ｅが形成され、木製梁接合部４２ｅの基端側の下側縁部には、下フランジ接合部４３ｅが設けられている。この下フランジ接合部４３ｅには、ボルト孔４８ｅが設けられている。
【００６８】
このような接合部材４ｅに対応して、木製梁３の端部にはスリットが設けられておらず、ピン孔３２代えてボルト孔が設けられている。
この接合部材４ｅを用いて鉄骨梁１に木製梁３を接合する場合には、木製梁接合部４２ｅと木製梁３とがドリフトピンではなくボルトで接合される以外は、第１実施形態と同様にウェブ接合部４１ｅを鉄骨梁１のウェブ１３に接合し、下フランジ接合部４３ｅを鉄骨梁１の下のフランジ１２に接合する。
この接合構造、接合方法および接合部材４ｅにあっては、第１実施形態と同様の作用効果を奏することができる。
【００６９】
次に、本発明の第８実施形態を説明する。
図１７から図１９に示すように、第８実施形態の鉄骨梁と木製梁との接合構造は、第１実施形態の接合部材４に代えて第１接合部材４ｆおよび第２接合部材４ｇを用いたものである。
第１接合部材４ｆは、ウェブ接合部４１ｆと木製梁接合部４２ｆとを備え、接合部材４から下フランジ接合部４３を取り除いた形状となっている。ウェブ接合部４１ｆには、ボルト孔４９ｆが上下一列に複数形成されている。
【００７０】
第２接合部材４ｇは、鉄骨梁１の下のフランジ１２に接合される下フランジ接合部４３ｇと、第１接合部材４ｆのウェブ接合部４１ｆに、ウェブ接合部４１ｆをウェブ１３に接合する際のボルトを用いて接合される部材接合部４１ｇとを備えている。
鉛直に配置される部材接合部４１ｇの下端部から下フランジ接合部４３ｇが直角でかつ水平に延出している。
【００７１】
部材接合部４１ｇには、ウェブ接合部４１ｆのボルト孔４９ｆに対応して、ボルト孔４９ｇが上下一列に複数形成されている。
第１接合部材４ｆおよび第２接合部材４ｇは、鉄骨梁１のウェブ１３にウェブ接合部４１ｆをボルトで接合する際に、ウェブ接合部４１ｆと部材接合部４１ｇを重ね、ウェブ接合部４１ｆのボルト孔４９ｆと、部材接合部４１ｇのボルト孔４９ｇとにボルトを挿通してウェブ１３に締結することで、ウェブ接合部４１ｆと部材接合部４１ｇとが接合される。
【００７２】
これにより、第１接合部材４ｆと第２接合部材４ｇとが接合され、ウェブ接合部４１ｆ、木製梁接合部４２ｆおよび下フランジ接合部４３ｇが一体となり、第１実施形態の接合部材４と同様に用いることが可能となる。
また、木製梁接合部４２ｆには、木製梁接合部４２と同様にピン孔４６ｆが形成されており、木製梁接合部４２と同様に木製梁３に接合することができる。
【００７３】
また、下フランジ接合部４３ｇは、上述のように第１接合部材４ｆのウェブ接合部４１ｆおよび第２接合部材４ｇの部材接合部４１ｇを鉄骨梁１のウェブ１３に接合した際に、鉄骨梁１の下のフランジ１２の上面に当接するようになっている。この下フランジ接合部４３ｇのボルト孔４８ｇに挿通されるボルトにより、下フランジ接合部４３ｇが鉄骨梁１の下のフランジ１２に締結される。
【００７４】
この接合構造、接合方法および接合部材（第１接合部材４ｆおよび第２接合部材４ｇ）にあっては、第１実施形態と同様の作用効果を奏することができる。
【符号の説明】
【００７５】
１      鉄骨梁
１１    上のフランジ
１２    下のフランジ
１３    ウェブ
２      床合板（床材）
３      木製梁
４，４ａ，４ｂ，４ｃ，４ｄ，４ｅ，４ｆ，４ｇ    接合部材
３５    ドリフトピン（第２の接合具）
４１    ウェブ接合部
４２，４２ａ，４２ｃ，４２ｄ，４２ｅ，４２ｆ    木製梁接合部
４３，４３ｂ，４３ｃ，４３ｄ，４３ｅ，４３ｇ    下フランジ接合部
４５    ボルト（第１の接合具）
４６    ボルト（第３の接合具）
４７    木製梁支持部
【図１】
0005589565.tif 000002
【図２】
0005589565.tif 000003
【図３】
0005589565.tif 000004
【図４】
0005589565.tif 000005
【図５】
0005589565.tif 000006
【図６】
0005589565.tif 000007
【図７】
0005589565.tif 000008
【図８】
0005589565.tif 000009
【図９】
0005589565.tif 000010
【図１０】
0005589565.tif 000011
【図１１】
0005589565.tif 000012
【図１２】
0005589565.tif 000013
【図１３】
0005589565.tif 000014
【図１４】
0005589565.tif 000015
【図１５】
0005589565.tif 000016
【図１６】
0005589565.tif 000017
【図１７】
0005589565.tif 000018
【図１８】
0005589565.tif 000019
【図１９】
0005589565.tif 000020
【図２０】
0005589565.tif 000021